(57)【要約】【課題】左右爪片のハゼ部の基部に対する引っ掛かりを良好にして軒側への滑り止め機能を発揮させ、ハゼ部の基部をより強固に挟持できる様にした太陽電池パネルの支持金具を提供する。【解決手段】先端が相互に対向配置された前後に長い線条の右爪片２と左爪片３を夫々に設けた右側つかみ部４と左側つかみ部５とをボルト６とナット７で締結することにより、左右爪片２、３間に金属屋根Ｒの桁行方向Ｘに平行に立ち上がり形成されたハゼ部Ｈの基部を挟持する様にして、該ハゼ部Ｈに取付けられると共に、太陽電池パネルＰを載置可能と成した押出形材製の支持金具１において、前記左右爪片２、３間にハゼ部Ｈの基部を挟持した状態で、金属屋根Ｒの流れ方向Ｙに対応する左右爪片２、３の各先端2a、3aの前後方向には、金属屋根Ｒの軒側Ｕへ夾角の尖端23ａが指向する山鉤状の刻み目23を多数刻設する。【選択図】図５（ｃ）
2019183400.tif 000002
【特許請求の範囲】
【請求項１】
先端が相互に対向配置された前後に長い線条の右爪片と左爪片を夫々に設けた右側つかみ部と左側つかみ部とをボルトとナットで締結することにより、左右爪片間に金属屋根の桁行方向に平行に立ち上がり形成されたハゼ部の基部を挟持する様にして、該ハゼ部に取付けられると共に、太陽電池パネルを載置可能と成した押出形材製の支持金具において、前記左右爪片間にハゼ部の基部を挟持した状態で、金属屋根の流れ方向に対応する左右爪片の各先端の前後方向には、金属屋根の軒側へ夾角の尖端が指向する山鉤状の刻み目を多数刻設したことを特徴とする太陽電池パネルの支持金具。
【請求項２】
先端が相互に対向配置された前後に長い線条の右爪片と左爪片を夫々に設けた右側つかみ部と左側つかみ部とをボルトとナットで締結することにより、左右爪片間に金属屋根の桁行方向に平行に立ち上がり形成されたハゼ部の基部を挟持する様にして、該ハゼ部に取付けられると共に、太陽電池パネルを載置可能と成した押出形材製の支持金具において、前記左右爪片の各先端には、その前後の夫々に夾角の尖端が指向する山鉤状の刻み目を多数刻設したことを特徴とする太陽電池パネルの支持金具。
【請求項３】
前後の夫れに夾角の尖端が指向する多数の刻み目は、左右爪片の各先端にその前後方向に一方の対角線を合致させた菱格子を刻設することにより形成したことを特徴とする請求項２記載の太陽電池パネルの支持金具。
【発明の詳細な説明】
【技術分野】
【０００１】
本発明は、継ぎ目に各種ハゼ部を有する立平葺き屋根や折板屋根等の金属屋根上に太陽電池パネルを取付けるために設置される太陽電池パネルの支持金具に関する。
【背景技術】
【０００２】
特許文献１には、先端が相互に対向配置された前後に長い線条の右爪片と左爪片を夫々に設けた右側つかみ部と左側つかみ部とをボルトとナットで締結することにより、左右爪片間に金属屋根の桁行方向に平行に立ち上がり形成されたハゼ部の基部を挟持する様にして、該ハゼ部に取付けられると共に、太陽電池パネルを載置可能と成した押出形材製の支持金具が開示されている。
【０００３】
この支持金具では、上記左右爪片の各先端は、その上下方向に三角山と谷が交互に配置された波形に形成されており、ナットを緊締することにより、左右爪片間に配置したハゼ部の基部にその左右爪片の各先端における三角山の頂角部が強固に係合し、該ハゼ部に支持金具を取付けられる様に成している。
【先行技術文献】
【特許文献】
【０００４】
【特許文献１】実用新案登録第３１８９１５７号公報（図20）
【発明の概要】
【発明が解決しようとする課題】
【０００５】
しかしながら、上記構成の支持金具は、押出形材にて構成されているので、左右爪片の各先端における各三角山はその前後方向に沿って形成されると共に、頂角部は尖っているわけではなく丸みを帯びている。
【０００６】
したがって、金属屋根に支持金具を取付けるために、金属屋根の流れ方向に沿って直立しているハゼ部の基部を左右爪片で挟持しても、その先端に形成された頂角部の金属屋根の流れ方向に対する引っ掛かりが悪く、軒側へ滑り易いといった課題を有している。
【０００７】
そこで、本発明では、左右爪片のハゼ部の基部に対する引っ掛かりを良好にして軒側への滑り止め機能を発揮させ、ハゼ部の基部をより強固に挟持できる様にした太陽電池パネルの支持金具を提供することを目的としている。
【課題を解決するための手段】
【０００８】
上記課題に鑑み、本発明に係る太陽電池パネルの支持金具は、先端が相互に対向配置された前後に長い線条の右爪片と左爪片を夫々に設けた右側つかみ部と左側つかみ部とをボルトとナットで締結することにより、左右爪片間に金属屋根の桁行方向に平行に立ち上がり形成されたハゼ部の基部を挟持する様にして、該ハゼ部に取付けられると共に、太陽電池パネルを載置可能と成した押出形材製から成り、前記左右爪片間にハゼ部の基部を挟持した状態で、金属屋根の流れ方向に対応する左右爪片の各先端の前後方向には、金属屋根の軒側へ夾角の尖端が指向する山鉤状の刻み目を多数刻設したり、又は、前記左右爪片の各先端には、その前後の夫々に夾角の尖端が指向する山鉤状の刻み目を多数刻設したことを特徴とする。
又、前後の夫れに夾角の尖端が指向する多数の刻み目は、左右爪片の各先端にその前後方向に一方の対角線を合致させた菱格子を刻設することにより形成したことを特徴とする。
【発明の効果】
【０００９】
要するに本発明は、先端が相互に対向配置された前後に長い線条の右爪片と左爪片を夫々に設けた右側つかみ部と左側つかみ部とをボルトとナットで締結することにより、左右爪片間に金属屋根の桁行方向に平行に立ち上がり形成されたハゼ部の基部を挟持する様にして、該ハゼ部に取付けられると共に、太陽電池パネルを載置可能と成した押出形材製の支持金具において、前記左右爪片間にハゼ部の基部を挟持した状態で、金属屋根の流れ方向に対応する左右爪片の各先端の前後方向には、金属屋根の軒側へ夾角の尖端が指向する山鉤状の刻み目を多数刻設したので、左右爪片の各先端は、ハゼ部の基部に引っ掛かって軒側へ滑り難い粗面と成すことができ、かかる粗面を有する左右爪片間にハゼ部の基部を配置し、ナットを締め付けることにより、左右側つかみ部の左右爪片の間隔を狭めてハゼ部の基部を挟持すると、左右爪片の各先端の刻み目の尖端がハゼ部の基部に食込み、左右爪片のハゼ部の基部に対する挟持力をより一層増大させられ、金属屋根への接続固定強度が高く、より信頼性の高い支持金具を提供できる。
【００１０】
先端が相互に対向配置された前後に長い線条の右爪片と左爪片を夫々に設けた右側つかみ部と左側つかみ部とをボルトとナットで締結することにより、左右爪片間に金属屋根の桁行方向に平行に立ち上がり形成されたハゼ部の基部を挟持する様にして、該ハゼ部に取付けられると共に、太陽電池パネルを載置可能と成した押出形材製の支持金具において、前記左右爪片の各先端には、その前後の夫々に夾角の尖端が指向する山鉤状の刻み目を多数刻設したので、上記と同様に、左右爪片の各先端は、ハゼ部の基部に引っ掛かって軒側へ滑り難い粗面と成すことができ、かかる粗面を有する左右爪片間にハゼ部の基部を配置し、ナットを締め付けることにより、左右側つかみ部の左右爪片の間隔を狭めてハゼ部の基部を挟持すると、左右爪片の各先端の刻み目の尖端がハゼ部の基部に食込み、左右爪片のハゼ部の基部に対する挟持力をより一層増大させられ、金属屋根への接続固定強度が高く、より信頼性の高い支持金具を提供できる。
しかも、左右爪片間にハゼ部の基部を挟持する時に、請求項１に係る支持金具の様に左右爪片の各先端に設けた山鉤（刻み目）の夾角尖端が金属屋根の軒側へ指向していることを確認する必要がないため、ハゼ部への支持金具の取り付けに間違いがなく、作業効率をより向上できる。
【００１１】
前後の夫れに夾角の尖端が指向する多数の刻み目は、左右爪片の各先端にその前後方向に一方の対角線を合致させた菱格子を刻設することにより形成したので、左右爪片の各先端の前後のみならず、上下にも夾角の尖端が指向する多数の山鉤状の刻み目を形成でき、これにより左右爪片の各先端の粗面化の度合を増大させられ、軒側への滑り止め効果を向上させることができる等その実用的効果甚だ大である。
【図面の簡単な説明】
【００１２】
【図１】本発明に係る支持金具の斜視図である。
【図２】同上分解斜視図である。
【図３】右側つかみ部と左側つかみ部の正面図と一側面図であり、(a) は右から右側つかみ部の正面図と左側面図、(b) は左から左側つかみ部の正面図と右側面図である。
【図４】刻み目を有する菱格子を示す左右爪片先端の拡大図である。
【図５（ａ）】支持金具の第一取付け工程を示す正面図である。
【図５（ｂ）】支持金具の第二取付け工程を示す正面図である。
【図５（ｃ）】支持金具の第三取付け工程を示す正面図である。
【図６】金属屋根における太陽電池パネルの一設置例を示す斜視図である。
【図７】図６の一部省略側面図である。
【発明を実施するための形態】
【００１３】
以下本発明の実施の一形態例を図面に基づいて説明する。
本発明に係る太陽電池パネルＰの支持金具１は、アルミニウムやステンレス、その他の合金製の押出形材製から成り、先端2a、3aが相互に対向配置された前後に長い線条の右爪片２と左爪片３を夫々に設けた右側つかみ部４と左側つかみ部５とをボルト６とナット７で締結する（図１、２参照）ことにより、左右爪片２、３間に図６、７に示す金属屋根Ｒの桁行方向Ｘに平行に立ち上がり形成されたハゼ部Ｈの基部を挟持する様にして、該ハゼ部Ｈに取付けられると共に、太陽電池パネルＰを載置可能と成している。
【００１４】
尚、金属屋根Ｒは、本実施例ではその代表例として、継ぎ目に角ハゼから成るハゼ部Ｈを有する折板屋根を示して説明しているが、支持金具１は、その他にハゼ部が両丸ハゼの折板屋根であったり、継ぎ目に巻きハゼ又は嵌合ハゼを有する立平葺屋根など、いかなる形状のハゼ部Ｈを有する金属屋根Ｒにも取付けられる汎用性を有している。
【００１５】
右側つかみ部４は、金属屋根Ｒの流れ方向Ｙ（ハゼ部Ｈの長手方向に同じ）に前後を対応させて太陽電池パネルＰを載置する台座部８を設けている。
【００１６】
台座部８は、前後方向Ｙに長い凹溝９を形成すると共に、該凹溝９の左右側壁上端縁に小幅な水平帯板10、10ａを平行配置し、該水平帯板10、10ａ前後の夫々に所定間隔Ｄを設けて流れ方向Ｙ前後で隣接配置される太陽電池パネルＰの前後端部を載置する様に成している。
【００１７】
右側の水平帯板10ａの外側縁の中央には、上記間隔Ｄに対応した前後長Ｄを有する方形板状の間隔保持板11を右上がりに傾斜突設しており、該間隔保持板11は、その基端が切欠可能に薄肉に形成され、必要に応じて水平帯板10ａより離脱可能と成している。
又、台座部８において、凹溝９の中央と前方には、左右方向に長い長穴12、12ａが貫設されている。
【００１８】
そして、台座部８の右側縁下部には短尺な垂下壁13を垂設すると共に、該垂下壁13下方に外方湾出する断面円弧板状の右脚部14を下方連続形成し、該右脚部14の下端縁に先端2aが左側に指向する右爪片２を若干上向きに傾斜突設している。
又、台座部８の左側縁下部には、左下がりに傾斜した短尺な突片15を連続形成し、該突片15の先端15ａは円形に形成されている。
【００１９】
左側つかみ部５は、右側つかみ部４の突片15と右爪片２との間の左側空隙Ｓから挿入可能にして、台座部８と突片15を載上合致可能な階段状の段丘部16を設けている。
【００２０】
段丘部16は、その前後長（奥行き）が台座部８より若干短く設定されると共に、台座部８の底面に上下方向で着離自在な矩形板状の上段部16ａと、該上段部16ａの左側縁に突片15の内側斜面に対応する様に形成した斜面を介してその下端に突片先端15ａの円形端部15ａを上下方向で着離自在にして且つ着座状態で回動自在に受承する様に設けた半円弧溝状の下段部16ｂとから構成されている。
【００２１】
又、段丘部16において、上段部16ａの中央と前方には、台座部８の長穴12、12ａに対応した円形のボルト挿通穴17、17ａが貫設され、通常は中央のボルト挿通穴17の下方から上方へ向かってボルト６が挿通され、これによりボルト６の螺子部6aを段丘部16の上段部16ａより上方突設し、後述の如く螺子部6aを台座部８中央の長穴12の下方から挿通する。
【００２２】
尚、必要に応じてボルト６は、前方のボルト挿通穴17ａに挿通され、同様に段丘部16より上方突設した螺子部6aをこの場合には台座部８前方の長穴12ａの下方から挿通する。
【００２３】
又、段丘部16上に台座部８と突片15が載上合致した状態では、長穴12、12ａの右端に螺子部6aが位置する様に設定されている。
【００２４】
そして、上段部16ａ底面には、ボルト挿通穴17、17ａの中心を中心軸線上に合致させたボルト回転不能溝18を形成している。
【００２５】
このボルト回転不能溝18は、上段部16ａの右側縁に垂設した短尺な垂下壁18ａと、該垂下壁18ａとボルト６の六角頭6bの対辺間距離を隔てて上段部16ａ底面に略平行に垂設され、且つ先端が鉤状に形成されて垂下壁18ａより若干長い鉤状壁18ｂとにより構成され、ボルト挿通穴17、17ａに挿通したボルト６の六角頭6bがボルト回転不能溝18に配置されることにより回転不能と成し、その螺子部6aに螺合するナット７を上下動可能と成している。
【００２６】
又、ボルト挿通穴17、17ａに挿通されたボルト６は、上段部16ａ上面でばね板ナット19に差し込まれ、これによりボルト６はボルト挿通穴17、17ａから脱落することはなく、螺子部6aの上段部16ａ上面からの上方突出状態が維持される。
【００２７】
そして、段丘部16の左側縁下部、即ち下段部16ｂの下側縁には外方湾出する断面円弧板状の左脚部20を下方連続形成し、該左脚部20の下端縁に先端3aが右側に指向して上記右爪片２に対向する左爪片３を若干上向きに傾斜突設している。
【００２８】
上記の様に夫々構成された右側つかみ部４と左側つかみ部５にあっては、右側つかみ部４の突片15と右爪片２との間の左側空隙Ｓから左側つかみ部５の段丘部16を挿入すると共に、該段丘部16より上方突出する螺子部6aを長穴12、12ａに挿通し、右側つかみ部４の台座部８を貫通した螺子部6aにワッシャ21とバネ座金22を挿通してナット７を螺着し、これにより右側つかみ部４と左側つかみ部５を連結し支持金具１と成している。
【００２９】
また、支持金具１は、左右爪片２、３間にハゼ部Ｈの基部を挟持した状態で、金属屋根Ｒの流れ方向Ｙに対応する左右爪片２、３の各先端2a、3aの前後（長手）方向Ｙには、金属屋根Ｒの軒側Ｕ（流れ方向Ｙ前方）へ夾角の尖端23ａが指向する山鉤（＜）状の刻み目23を多数刻設している。
【００３０】
これにより、左右爪片２、３の各先端2a、3aは、ハゼ部Ｈの基部に引っ掛かって軒側Ｕへ滑り難い粗面と成すことができ、かかる粗面を有する左右爪片２、３間にハゼ部Ｈの基部を配置し、ナット７を締め付けることにより、左右側つかみ部４、５の左右爪片２、３の間隔を狭めてハゼ部Ｈの基部を挟持すると、左右爪片２、３の各先端2a、3aの刻み目23がハゼ部Ｈの基部に食込み、左右爪片２、３のハゼ部Ｈの基部に対する挟持力をより一層増大させられる。
【００３１】
尚、本実施例では、左右爪片２、３間にハゼ部Ｈの基部を挟持する時に、左右爪片２、３の各先端2a、3aに設けた山鉤（刻み目）８の夾角尖端23ａが金属屋根Ｒの軒側Ｕへ指向していることを確認する必要がなく、ハゼ部Ｈへの支持金具１の取り付けに間違いがない様に、左右爪片２、３の各先端2a、3aには、その前後の夫々に夾角の尖端23ａが指向する山鉤（＜、＞）状の刻み目23を多数刻設している。
【００３２】
このため、前後の夫れに夾角の尖端23ａが指向する多数の刻み目23は、左右爪片２、３の各先端2a、3aにその前後方向Ｙに一方の横手対角線を合致させた菱格子（斜め格子）24を刻設することにより形成している（図３、４参照）。
【００３３】
この菱格子24により爪片先端2a、3aの前後のみならず、上下にも夾角の尖端23ａが指向する多数の山鉤（＜、＞、∧、∨）状の刻み目23を形成でき、これにより左右爪片２、３の各先端2a、3aの粗面化の度合を増大させられ、軒側Ｕへの滑り止め効果を向上させることができる。
【００３４】
かかる支持金具１にあっては、図5(a)に示す様に、螺子部6aの上方にナット７を配置させた状態で、右側つかみ部４の右爪片２と左側つかみ部５の左爪片３とを上下に離間させると共に、螺子部6aを右側つかみ部４の長穴12、12ａの右端側へ傾倒させる（第一取付け工程）。
【００３５】
これにより、左右爪片２、３の間隔を、金属屋根Ｒにおける各種ハゼ部Ｈの形状や大きさに対応して上下に食い違いに拡開させられ、そこから、図5(b)に示す様に、いかなる構成の金属屋根Ｒのハゼ部Ｈであっても、右側つかみ部４と左側つかみ部５の間に構成される中空部Ｍ内に挿入させられ、左右爪片２、３間にハゼ部Ｈの基部を配置する（第二取付け工程）。
【００３６】
次いで、図5(c)に示す様に、ナット７を締め付けることにより、右側つかみ部４の台座部８及び突片15と、左側つかみ部５の段丘部16（上段部16ａ及び下段部16ｂ）が相互に近づくことで、左右側つかみ部４、５の左右爪片２、３の間隔が狭まりハゼ部Ｈの基部を挟持して行き、更に段丘部16上に台座部８と突片15が対応し、突片先端15ａが段丘部16の下段部16ｂに受承されると、かかる部位を支点として左右側つかみ部４、５は相反方向に回動力を生じて左右爪片２、３のハゼ部Ｈの基部に対する挟持力をより増大させられると共に、左右爪片２、３の各先端2a、3aの刻み目23の尖端23ａがハゼ部Ｈの基部に食込み、これにより左右爪片２、３がハゼ部Ｈの基部をより強固に挟持でき、金属屋根Ｈに支持金具１が強固に取付けられる（第三取付け工程）。
【００３７】
尚、図5(c)に示すナット７の緊締状態では、ナット７は凹溝９内に没入状態で水平帯板10、10ａ上面より突出していない。
【００３８】
かかる支持金具１の取付状態において、右側つかみ部４と左側つかみ部５の左右脚部14、20は共に外方湾出する断面円弧板状に形成されているため、ナット７の締め付けによって左右脚部14、20に作用する応力を全体に一様に分布させられる。
【００３９】
上記の様に金属屋根Ｒに取付けられる支持金具１は、太陽電池パネルＰの設置数に応じて金属屋根Ｒ上の縦横に適宜間隔を以て点在させる（図６参照）。
そして、図７にも示す様に、太陽電池パネルＰの前後端部が、支持金具１の台座部８の前後に載置される。
【００４０】
太陽電池パネルＰの前端部又は後端部のみを載置する軒側Ｕ又は棟側設置の支持金具１にあっては、間隔保持板11を水平帯板10ａから離脱させ、略Ｌ字板状のパネル端固定具25を使用する。
【００４１】
このパネル端固定具25は、支持金具１中央に上方突出する螺子部6aを貫通して台座部８中央に着座する水平板部25ａと、該水平板部25ａ基端より立ち上がり形成して太陽電池パネルＰの前端面又は後端面を当接支持する垂直板部25ｂとから成り、水平板部25ａ上に貫通突出する螺子部6aにワッシャとバネ座金を挿通してナット26を螺着することにより、垂直板部25ｂの上端に水平板部25ａの反対側へ水平突設した掛止片25ｃが太陽電池パネルＰの前端部又は後端部の上側縁を押圧保持する様に成している。
【００４２】
金属屋根Ｒ上で軒側及び棟側以外に設置される支持金具１にあっては、その台座部８上の前後に間隔保持板11を介して各太陽電池パネルＰの前端部及び後端部を載置し、これらを押圧保持する凹溝状のパネル間固定具27を使用する。
【００４３】
このパネル間固定具27は、上記間隔Ｄと同幅の凹溝状の胴部27ａを設けて成り、該胴部27ａの溝底部中央を貫通突出する螺子部6aにワッシャとバネ座金を挿通してナット28を螺着することにより、該胴部27ａの前後壁上端に相反方向（前後方向）に水平突設した掛止片27ｂが各太陽電池パネルＰの前端部及び後端部の上側縁を押圧保持する様に成している。
【符号の説明】
【００４４】
１    支持金具
２    右爪片
2a    先端
３    左爪片
3a    先端
４    右側つかみ部
５    左側つかみ部
６    ボルト
７    ナット
23    刻み目
23ａ  尖端
24    菱格子
Ｈ    ハゼ部
Ｐ    太陽電池パネル
Ｒ    金属屋根
Ｕ    軒側
Ｘ    桁行方向
Ｙ    流れ（前後）方向
【図１】
2019183400.tif 000003
【図２】
2019183400.tif 000004
【図３】
2019183400.tif 000005
【図４】
2019183400.tif 000006
【図５（ａ）】
2019183400.tif 000007
【図５（ｂ）】
2019183400.tif 000008
【図５（ｃ）】
2019183400.tif 000009
【図６】
2019183400.tif 000010
【図７】
2019183400.tif 000011